(57)【要約】【課題】作製が容易で快速的に組立てられ、快速的に放熱効果が得られ、コンピュータの中央処理装置の耐用寿命が向上される放熱フィン構造を提供する。【解決手段】主として、放熱フィンに、上下の二つの折り縁が形成され、また、折り縁や放熱フィンの直立板面に、水平係合シートが形成され、また、本体に、当該水平係合シートの形状や位置に対応する、当該水平係合シートが嵌合されるための凹槽が形成され、組立てる時、隣にある裏側の放熱フィンの水平係合シートを前方の放熱フィンの凹槽に嵌合することにより、係合耳が、安定的に水平係合シートの底部にある係止底面に抵当するため、複数の放熱フィンを放熱フィンセットに組立てられる。【選択図】図１
0003122252.tif 000002
【実用新案登録請求の範囲】
【請求項１】
コンピュータの中央処理装置の放熱フィンに適用される放熱フィン構造であって、
金属アルミニウム板や銅板で、単一の放熱フィンをプレスし、上下の両端に、水平の折り縁が形成され、放熱フィンの直立板面に、上下の両側に、四つの水平係合シートが形成され、その底部に係止底面が形成され、当該水平係合シートの前方である最も外側に、切り平面が形成され、水平係合シートの両側に、直立板面に垂直する垂直面が形成され、垂直面と切り平面との間に、第１の斜面と第２の斜面とが形成され、垂直面から切り平面まで、第１の斜面と第２の斜面とにより少しずつ縮小し、これにより、水平係合シートの成型や嵌合が容易になり、また、本体に、当該水平係合シートの形状や位置に対応する、水平係合シートが嵌合されるための凹槽が形成され、また、当該凹槽の放熱フィンの直立板面に、突出係合耳が形成され、また、当該直立板面に、水平係合シートをプレスすることにより、形成されたプレス穴により、換気や放熱の効果が強化され、
組立てる時、隣にある裏側の放熱フィンの水平係合シートを前方の放熱フィンの凹槽に嵌合することにより、突出係合耳が、安定的に水平係合シートの底部にある係止底面に抵当するため、複数の放熱フィンが、放熱フィンセットに組立てられて、そして、コンピュータの中央処理装置に実装される、
ことを特徴とする放熱フィン構造。
【請求項２】
当該放熱フィンは、上下の水平の折り縁の両側に、それぞれ、水平係合シートが形成され、その底部に係止底面が形成され、当該水平係合シートの前方である最も外側に切り平面が形成され、水平係合シートの両側に、上下の水平の折り縁の最も外側の折り縁に垂直する垂直面が形成され、垂直面と切り平面との間に、第１の斜面と第２の斜面とが形成され、垂直面から切り平面まで、第１の斜面と第２の斜面により少しずつ縮小し、これにより、水平係合シートの成型や嵌合が容易になり、また、上下の水平の折り縁に、当該水平係合シートの形状や位置に対応する、当該水平係合シートが嵌合されるための凹槽が形成され、また、凹槽の放熱フィンの直立板面に、突出係合耳が形成され、組立てる時、隣にある裏側の放熱フィンの水平係合シートを前方の放熱フィンの凹槽に嵌合することにより、突出係合耳が、安定的に水平係合シートの底部ある係止底面に抵当するため、複数の放熱フィンが、放熱フィンセットに組立てられて、コンピュータの中央処理装置に実装されることを特徴とする請求項１に記載の放熱フィン構造。
【考案の詳細な説明】
【技術分野】
【０００１】
本考案は、放熱フィン構造に関し、特に、コンピュータの中央処理装置の放熱フィンに適用されるものに関する。
【背景技術】
【０００２】
従来の放熱フィンは、板状金属を単一の冂形状である放熱フィン１００にプレスし、また、冂形状である放熱フィンの両端を、上下の折り縁２００、３００に湾曲し(図７のように)、また、その上に、突出耳４００が設置され、また、突出耳４００のやや後端に、突出耳４００よりやや大きい凹槽５００が形成され、当該凹槽５００の位置が突出耳４００に対応し、組立てる時、隣にある冂形状である放熱フィン１００の突出耳４００を、もう一つの冂形状である放熱フィン１００の凹槽５００に嵌合して、二つの冂形状である放熱フィン１００が、放熱フィンセットに組立てられて、コンピュータの中央処理装置に実装され、従来の放熱フィンの突出耳４００は、構造設計が簡単であるが、係合することにより組立てられる場合、使用する時、外れ易くて、特に、使用すると、熱脹冷縮効果により、外れることが往々であり、メンテナンスをしなければならないため、ユーザーにとって困ることであり、業者にとってコストの増加になり、至急に解決しなければならない問題点である。
【考案の開示】
【考案が解決しようとする課題】
【０００３】
本考案の主な目的は、コンピュータの中央処理装置の放熱フィンに提供され、作製が容易で、快速的に組立てられ、快速的に放熱効果が得られ、コンピュータの中央処理装置の耐用寿命が向上される放熱フィン構造を提供する。
【０００４】
本考案の他の目的は、水平係合シートや突出係合耳及び凹槽の設計により、安定的に係合でき、成型が簡単で、組立ての自動化が容易に導入でき、そして、コストダウンの効果が得られる放熱フィン構造を提供する。
【課題を解決するための手段】
【０００５】
請求項１の考案は、コンピュータの中央処理装置の放熱フィンに適用される放熱フィン構造であって、金属アルミニウム板や銅板で、単一の放熱フィンをプレスし、上下の両端に、水平の折り縁が形成され、放熱フィンの直立板面に、上下の両側に、四つの水平係合シートが形成され、その底部に係止底面が形成され、当該水平係合シートの前方である最も外側に、切り平面が形成され、水平係合シートの両側に、直立板面に垂直する垂直面が形成され、垂直面と切り平面との間に、第１の斜面と第２の斜面とが形成され、垂直面から切り平面まで、第１の斜面と第２の斜面とにより少しずつ縮小し、これにより、水平係合シートの成型や嵌合が容易になり、また、本体に、当該水平係合シートの形状や位置に対応する、水平係合シートが嵌合されるための凹槽が形成され、また、当該凹槽の放熱フィンの直立板面に、突出係合耳が形成され、また、当該直立板面に、水平係合シートをプレスすることにより、形成されたプレス穴により、換気や放熱の効果が強化され、組立てる時、隣にある裏側の放熱フィンの水平係合シートを前方の放熱フィンの凹槽に嵌合することにより、突出係合耳が、安定的に水平係合シートの底部にある係止底面に抵当するため、複数の放熱フィンが、放熱フィンセットに組立てられて、そして、コンピュータの中央処理装置に実装されることを特徴とする放熱フィン構造である。
【０００６】
請求項２の考案に係わる当該放熱フィンは、上下の水平の折り縁の両側に、それぞれ、水平係合シートが形成され、その底部に係止底面が形成され、当該水平係合シートの前方である最も外側に切り平面が形成され、水平係合シートの両側に、上下の水平の折り縁の最も外側の折り縁に垂直する垂直面が形成され、垂直面と切り平面との間に、第１の斜面と第２の斜面とが形成され、垂直面から切り平面まで、第１の斜面と第２の斜面により少しずつ縮小し、これにより、水平係合シートの成型や嵌合が容易になり、また、上下の水平の折り縁に、当該水平係合シートの形状や位置に対応する、当該水平係合シートが嵌合されるための凹槽が形成され、また、凹槽の放熱フィンの直立板面に、突出係合耳が形成され、組立てる時、隣にある裏側の放熱フィンの水平係合シートを前方の放熱フィンの凹槽に嵌合することにより、突出係合耳が、安定的に水平係合シートの底部ある係止底面に抵当するため、複数の放熱フィンが、放熱フィンセットに組立てられて、コンピュータの中央処理装置に実装されることを特徴とする請求項１に記載の放熱フィン構造である。
【考案を実施するための最良の形態】
【０００７】
本考案は、図１乃至３のように、コンピュータの中央処理装置の放熱フィンに適用される放熱フィン構造である。
【０００８】
本考案は、金属アルミニウム板や銅板で、単一の放熱フィン１をプレスし、上下の両端に、水平の折り縁２が形成され、放熱フィンの直立板面１３に、上下の両側に、四つの水平係合シート３が形成され、その底部に係止底面１１が形成され、当該水平係合シート３の前方である最も外側に、切り平面４が形成され、水平係合シート３の両側に、直立板面１３に垂直する垂直面６が形成され、垂直面６と切り平面４との間に、第１の斜面７と第２の斜面８とが形成され、垂直面６から切り平面４まで、第１の斜面７と第２の斜面８とにより少しずつ縮小し、これにより、水平係合シート３の成型や嵌合が容易になり、また、本体に、当該水平係合シート３の形状や位置に対応する、当該水平係合シート３が嵌合されるための凹槽９が形成され、また、当該凹槽９の放熱フィン１の直立板面１３に、突出係合耳１０が形成され、当該凹槽９の面積が水平係合シート３の面積よりやや大きいため、組立てる時、放熱フィン１が容易に嵌合されて、また、当該直立板面１３に、水平係合シート３をプレスすることにより、形成されたプレス穴５は、換気や放熱の強化に貢献する。
【０００９】
組立てる時、隣にある裏側の放熱フィン１の水平係合シート３を前方の放熱フィン１の凹槽９に嵌合することにより(図４のように)、突出係合耳１０が、安定的に水平係合シート３の底部にある係止底面１１に抵当するため、複数の放熱フィン１が、放熱フィンセット１２に組立てられて(図５のように)、そして、コンピュータの中央処理装置に実装され、そのため、製造が簡単で、快速的に組立てられ、快速的に放熱でき、そして、コンピュータの中央処理装置の耐用寿命が向上される効果が得られる。
【００１０】
本考案の放熱フィン１は、上下の両端が水平の折り縁２に湾曲され、上下の水平の折り縁２の両側に、それぞれ、水平係合シート１４が形成され(図６のように)、その底部に係止底面１５が形成され、当該水平係合シート１４の前方である最も外側に切り平面１６が形成され、水平係合シート１４の両側に、上下の水平の折り縁の最も外側の折り縁２２に垂直する垂直面１７が形成され、垂直面１７と切り平面１６との間に、第１の斜面１８と第２の斜面１９とが形成され、垂直面１７から切り平面１６まで、第１の斜面１８と第２の斜面１９とにより少しずつ縮小し、これにより、水平係合シート１４の成型や嵌合が容易になり、また、上下の水平の折り縁に、当該水平係合シート１４の形状や位置に対応する、当該水平係合シート１４が嵌合されるための凹槽２０が形成され、また、凹槽２０の放熱フィン１の直立板面１３に、突出係合耳２１が形成され、当該凹槽２０の面積が水平係合シート１４の面積よりやや大きいため、組立てる時、放熱フィン１が容易に嵌合され、また、組立てる時、隣にある裏側の放熱フィン１の水平係合シート１４を前方の放熱フィン１の凹槽２０に嵌合することにより、突出係合耳２１が、安定的に水平係合シート１４の底部にある係止底面１５に抵当するため、複数の放熱フィン１が、放熱フィンセット１２に組立てられて、コンピュータの中央処理装置に実装され、そのため、製造が簡単で、快速的に組立てられ、快速的に放熱でき、そして、コンピュータの中央処理装置の耐用寿命が向上される効果が得られる。
【図面の簡単な説明】
【００１１】
【図１】本考案に係わる放熱フィンの係合耳と凹槽の正面図
【図２】本考案に係わる放熱フィンの係合耳と凹槽の裏面図
【図３】本考案に係わる放熱フィンの組立てる時の位置対応図
【図４】本考案に係わる隣にある放熱フィン同士の組立て図
【図５】本考案に係わる放熱フィンの組立て図
【図６】本考案の上下の水平の折り縁に係合耳と凹槽を形成する時の実施例図
【図７】従来の放熱フィン
【符号の説明】
【００１２】
１            放熱フィン
２            水平の折り縁
３、１４      水平係合シート
４、１６      切り平面
５            プレス穴
６、１７      垂直面
７、１８      第１の斜面
８、１９      第２の斜面
９、２０      凹槽
１０、２１    突出係合耳
１１、１５    係止底面
１２          放熱フィンセット
１３          直立板面
２２          折り縁
１００        冂形状である放熱フィン
２００、３００        上下の折り縁
４００        突出耳
５００        凹槽
【図１】
0003122252.tif 000003
【図２】
0003122252.tif 000004
【図３】
0003122252.tif 000005
【図４】
0003122252.tif 000006
【図５】
0003122252.tif 000007
【図６】
0003122252.tif 000008
【図７】
0003122252.tif 000009